(57)【要約】【課題】  防犯上の問題及び施工コストの増大を招くことなく、外開き式の扉が設けられた開口部から建物内に空気を取り入れることができる開口部の開閉構造を提供する。【解決手段】  窓１１に設けられた両開き式の一対の扉１５，１６に、該各扉を開いた状態で、風の通過を許す通風孔１２ａが形成されたシャッター１２の開閉を案内するためのガイドレール１９，２０をそれぞれ設ける。【選択図】  図２
2006307597.tif 000002
【特許請求の範囲】
【請求項１】
建物の壁に形成された開口部の互いに対向する縁部のそれぞれに軸部材を介して屋外へ向けて回動可能に枢着され、前記開口部を開閉するための両開き式の一対の扉と、風の通過を許す通風手段が設けられ、前記開口部を屋外から塞ぐための防犯用戸とを備え、前記各扉には、前記防犯用戸の開閉を案内するためのガイドレールが、それぞれ前記両扉が開いたときに該両扉間で互いに対向するように設けられていることを特徴とする開口部の開閉構造。
【請求項２】
前記各ガイドレールには、前記防犯用戸を受け入れる案内溝がそれぞれ前記各ガイドレールの長手方向に沿って形成されており、前記各ガイドレールは、それぞれ前記各扉が前記開口部を閉鎖する閉鎖位置で前記各扉の前記建物内側に位置する面に、前記両扉がそれぞれ閉鎖位置から回動して前記壁にほぼ平行になる回動位置で前記各案内溝が互いに対向するように設けられていることを特徴とする請求項１に記載の開口部の開閉構造。
【請求項３】
建物の壁に形成された開口部の縁部に軸部材を介して屋外へ向けて回動可能に枢着され、前記開口部を開閉するための片開き式の扉と、風の通過を許す通風手段が設けられ、前記開口部を屋外から塞ぐための防犯用戸とを備え、前記開口部の前記縁部に向かい合う縁部及び前記扉には、前記防犯用戸の開閉を案内するためのガイドレールが、それぞれ前記扉が開いたときに該扉と前記開口部の前記縁部との間で互いに対向するように設けられていることを特徴とする開口部の開閉構造。
【請求項４】
前記各ガイドレールには、前記防犯用戸を受け入れる案内溝がそれぞれ前記各ガイドレールの長手方向に沿って形成されており、前記各ガイドレールは、前記扉が前記開口部を閉鎖する閉鎖位置で前記扉の前記建物内側に位置する面及び前記開口部の前記縁部に向かい合う縁部に、前記扉が閉鎖位置から回動して前記壁にほぼ平行になる回動位置で前記各案内溝が互いに対向するように設けられていることを特徴とする請求項３に記載の開口部の開閉構造。
【請求項５】
前記通風手段は、前記防犯用戸に形成された複数の通風孔であることを特徴とする請求項１乃至４に記載の開口部の開閉構造。
【発明の詳細な説明】
【技術分野】
【０００１】
本発明は、建物の窓及び出入口等の開口部を開閉する構造に関する。
【背景技術】
【０００２】
従来、建物の窓及び出入口のような開口部を開閉するための戸として、開口部の左右方向に摺動可能な引き戸が知られている（例えば、特許文献１参照。）。防犯及び防火等の目的で、引き戸の外側にシャッターが設けられた開口部の開閉構造が提案されている。シャッターは、開口部の建物の外方側において互いに対向する一対の縁部に設けられた一対のガイドレールに沿って開閉される。
【０００３】
この開閉構造では、戸が引き戸式であり、戸を開けた状態では該戸が建物の外方へ大きく突出することはないので、戸を開けた状態でシャッターを閉めることができるが、シャッターを閉めた状態では、たとえ戸を開けていても室内の通風が悪い。そこで、室内の通風をよくするために戸を開けた状態でシャッターを半開きにすることが考えられる。これによれば、室内への通風を確保することができるが、防犯上の問題が生じる。
【０００４】
そこで、防犯上の問題を招くことなく室内の通風を確保するために、通風孔が形成されたシャッターが提案されている。これにより、例えば留守中や夜間に引き戸を開けた状態でシャッターを閉めておけば、シャッターに形成された通風孔を経て外気を建物内に取り入れることができるので、防犯上の問題を招くことなく建物内を換気することができる。
【特許文献１】特開２００３−４１８６１号（第３−７頁、図１）
【発明の開示】
【発明が解決しようとする課題】
【０００５】
しかしながら、シャッターの開閉を案内するための一対のガイドレールが、開口部の建物の外方側において互いに対向する各縁部に設けられていることから、開口部に、シャッターの室内側で開口部を開閉するための外開き式の扉が設けられている場合、該扉を開けた状態では、該扉が両ガイドレール間を横切るように屋外に突出するため、各扉を開いた状態でシャッターを閉めようとすると、該シャッターが扉に干渉してしまい、シャッターを閉めることができない。そこで、扉の開閉を許すように該扉から建物の外方へ離れた位置に各ガイドレールを設けることが考えられるが、構造が複雑になるため、施工コストの増大を招く。
【０００６】
そこで、本発明の目的は、防犯上の問題及び施工コストの増大を招くことなく、外開き式の扉が設けられた開口部から建物内に空気を取り入れることができる開口部の開閉構造を提供することにある。
【課題を解決するための手段】
【０００７】
上記課題を解決するために、本発明は、建物の壁に形成された開口部の互いに対向する縁部のそれぞれに軸部材を介して屋外へ向けて回動可能に枢着され、前記開口部を開閉するための両開き式の一対の扉と、風の通過を許す通風手段が設けられ、前記開口部を屋外から塞ぐための防犯用戸とを備え、前記各扉には、前記防犯用戸の開閉を案内するためのガイドレールが、それぞれ前記両扉が開いたときに該両扉間で互いに対向するように設けられていることを特徴とする。
【０００８】
上記の構成によれば、建物の開口部に設けられた両開き式の一対の扉に、風の通過を許す通風手段が設けられた防犯用戸の開閉を案内するためのガイドレールが、それぞれ各扉を開いた状態で該両扉間で互いに対向するように設けられていることから、各ガイドレールは、各扉が開いた状態で両扉間に配置される。これにより、各扉を開いたときに該各扉が両ガイドレール間を横切ることはないので、各扉が開いた状態で防犯用戸を閉める際、防犯用戸が各扉に干渉することが防止される、従って、各扉を開けた状態で防犯用戸を確実に閉めることができる。
【０００９】
また、各扉の開閉を許すように該各扉から建物の外方へ離れた位置に各ガイドレールを設ける場合のような複雑な構造を用いることなく簡単な構造で、各扉が開いた状態での防犯用戸の開閉を可能とすることができるので、製造コストの増大を確実に抑制することができる。
【００１０】
上記の構成において、各ガイドレールに、防犯用戸を受け入れる案内溝をそれぞれ各ガイドレールの長手方向に沿って形成することができ、各ガイドレールを、それぞれ各扉が開口部を閉鎖する閉鎖位置で各扉の建物内側に位置する面に、両扉がそれぞれ閉鎖位置から回動して建物の壁にほぼ平行になる回動位置で各案内溝が互いに対向するように設けることができる。
【００１１】
この場合、各扉がそれぞれ建物の壁に平行になるように回動した状態では、各扉が建物の壁から大きく突出することはないので、スペース上の問題を招くことを確実に防止することができ、また、開いた各扉によって例えば通行が妨げられることを確実に抑制することができる。
【００１２】
また、本発明の別の特徴は、建物の壁に形成された開口部の縁部に軸部材を介して屋外へ向けて回動可能に枢着され、前記開口部を開閉するための片開き式の扉と、風の通過を許す通風手段が設けられ、前記開口部を屋外から塞ぐための防犯用戸とを備え、前記開口部の前記縁部に向かい合う縁部及び前記扉には、前記防犯用戸の開閉を案内するためのガイドレールが、それぞれ前記扉が開いたときに該扉と前記開口部の前記縁部との間で互いに対向するように設けられていることを特徴とする。
【００１３】
上記の構成によれば、建物の開口部に設けられた片開き式の扉と、開口部の扉が設けられた縁部に向かい合う縁部とに、風の通過を許す通風手段が設けられた防犯用戸の開閉を案内するためのガイドレールが、それぞれ扉を開いた状態で扉と開口部の縁部との間で互いに対向するように設けられていることから、各ガイドレールは、扉が開いた状態では、扉及び開口部の縁部間に配置される。これにより、扉を開いたときに該扉が各ガイドレール間を横切ることはないので、扉を開いた状態で防犯用戸を閉める際、防犯用戸が扉に干渉することが防止される。従って、扉を開けた状態で防犯用戸を確実に閉めることができる。
【００１４】
また、扉の開閉を許すように該扉から建物の外方へ離れた位置に各ガイドレールを設ける場合のような複雑な構造を用いることなく簡単な構造で、扉が開いた状態での防犯用戸の開閉を可能とすることができるので、製造コストの増大を確実に抑制することができる。
【００１５】
上記の構成において、各ガイドレールに、防犯用戸を受け入れる案内溝をそれぞれ各ガイドレールの長手方向に沿って形成することができ、各ガイドレールを、扉が開口部を閉鎖する閉鎖位置で扉の建物内側に位置する面及び開口部の扉が設けられた縁部に向かい合う縁部に、扉が閉鎖位置から回動して建物の壁にほぼ平行になる回動位置で各案内溝が互いに対向するように設けることができる。
【００１６】
この場合、扉が建物の壁にほぼ平行になるように回動した状態では、扉が建物の壁から大きく突出することはないので、開いた扉によって例えば通行が妨げられることを確実に抑制することができる。
【００１７】
通風手段を、防犯用戸に形成された複数の通風孔で構成することができる。これにより、防犯用戸を閉めた状態で開口部から建物内に外気をより容易に取り入れることができる。
【発明の効果】
【００１８】
本発明によれば、簡単な構造で、各扉が開いた状態での防犯用戸の開閉を可能とすることができることから、製造コストの増大を招くことなく防犯用戸に設けられた通風手段により外気を開口部から建物内に取り入れることができ且つ防犯することができる。
【発明を実施するための最良の形態】
【００１９】
本発明を図示の実施例に沿って説明する。
【実施例】
【００２０】
図１は、住宅の壁１０に設けられた開口部である窓１１を防犯用戸であるシャッター１２で屋外から塞ぐ構造に本発明に係る開口部の開閉構造１４を適用した例を示す。
【００２１】
シャッター１２は、窓１１の上に設置されたシャッターボックス１３内に巻かれて収納されており、図示の例では、該シャッターボックスからの引き出し操作及び押込み操作により開閉される。シャッター１２には、風の通過を許す通風手段が設けられている。通風手段は、図示の例では、シャッター１２に形成された複数の通風孔１２ａ（図３参照。）で構成されている。
【００２２】
本発明に係る窓１１は、図１に示す例では、矩形状をなしており、窓１１には、該窓を開閉するための両開き式の一対の扉１５，１６と、該各扉の屋内側に配置された網戸１７（図２参照。）とが設けられている。網戸１７は、従来よく知られているように、室内への通風を許し且つ外部からの虫の侵入を防止するための建具である。
【００２３】
各扉１５，１６は、図２に示すように、それぞれ全体に平坦な板状をなしている。また、各扉１５，１６は、それぞれの幅方向で互いに対向する側縁部のうち一方の側縁部１５ａ，１６ａで、窓１１の左右方向で互いに対向する一対の縁部１１ａ，１１ｂに軸部材１８を介して屋外（図２で見て壁１０の下側である。）へ向けて回動可能となるように枢着されており、図示の例では、それぞれ窓１１を閉鎖する閉鎖位置（図２に示す位置である。）と、窓１１を全開にする全開位置との間で各軸部材１８の周りに回動する。各扉１５，１６の全開位置は、図示の例では、各扉１５，１６が閉鎖位置から１８０°回動して住宅の壁１０に略平行になる回動位置（図２に二点鎖線で示されている。）を示す。各軸部材１８を、例えば従来よく知られた蝶番で構成することができる。
【００２４】
本実施例では、図２に示すように、各扉１５，１６が閉鎖位置におかれた状態で各扉１５，１６の屋内側に位置する内面１５ｂ，１６ｂに、シャッター１２の開閉を案内するための一対のガイドレール１９，２０がそれぞれ設けられている。
【００２５】
各ガイドレール１９，２０には、その長手方向に沿ってシャッター１２の各側端部１２ｂを受け入れる案内溝１９ａ，２０ａが形成されており、これにより、各ガイドレール１９，２０の横断面はコ字状をなしている。また、各ガイドレール１９，２０は、図示の例では、各扉１５，１６の内面１５ｂ，１６ｂにおける前記一方の側縁部１５ａ，１６ａに上下方向に沿って伸び且つ互いに平行になるように設けられており、その各案内溝１９ａ，２０ａが各扉１５，１６の閉鎖位置で窓１１の左右方向に沿って相反する方向へ向けて開放するように各扉１５，１６の前記一方の側縁部１５ａ，１６ａに固定されている。これにより、各ガイドレール１９，２０の各案内溝１９ａ，２０ａは、各扉１５，１６の全開位置で互いに向き合う。
【００２６】
例えば夜間や外出するときは、先ず、図２に示すように、シャッター１２をシャッターボックス１３内に収納した状態で各扉１５，１６を全開位置に向けて各軸部材１８の周りに回動させる。続いて、シャッターボックス１３からシャッター１２を引き出し、シャッター１２の各側端部１２ｂを各扉１５，１６に設けられた各ガイドレール１９，２０の案内溝１９ａ，２０ａ内に係合させ、シャッター１２を各ガイドレール１９，２０に沿って下げることにより、図３に示すように、窓１１をシャッター１２で塞ぐ。
【００２７】
これにより、シャッター１２に形成された各通風孔１２ａから窓１１を経て外気が室内に取り入れられるので、室内を換気することができ、また、窓１１に設けられた網戸１７により室内への虫の侵入を防止することができる。
【００２８】
また、窓１１がシャッター１２で塞がれた状態では、シャッター１２が従来と同様の防犯機能を果たし、また、雨が降ってきても、何等の開閉操作を施すことなく室内を換気しながら雨の侵入を確実に抑制することができる。シャッター１２を閉じた状態で、シャッター１２の下端と窓１１の下部との間に錠前を付けることができる。これにより、より確実に防犯することができる。
【００２９】
また、昼間に前記したようにシャッター１２を下ろすと、室内を換気することができることに加えて、室内への太陽光の侵入を抑制することができる。
【００３０】
このように、窓１１に設けられた両開き式の一対の扉１５，１６に、該各扉を開いた状態で、風の通過を許す複数の通風孔１２ａが形成されたシャッター１２の開閉を案内するためのガイドレール１９，２０がそれぞれ設けられていることから、各ガイドレール１９，２０は、各扉１５，１６が開いた状態で該両扉間に配置される。これにより、各扉１５，１６を開いたときに該各扉が各ガイドレール１９，２０間を横切ることはないので、各扉１５，１６が開いた状態でシャッター１２を閉める際、該シャッターが各扉１５，１６に干渉することが防止される。従って、各扉１５，１６を開けた状態でシャッター１２を確実に閉めることができる。
【００３１】
また、各扉１５，１６の開閉を許すように該各扉から住宅の外方へ離れた位置に各ガイドレールを設ける場合のような複雑な構造を用いることなく簡単な構造で、各扉１５，１６が開いた状態でのシャッター１２の開閉を可能とすることができるので、製造コストの増大を確実に抑制することができる。
【００３２】
従って、簡単な構造で、各扉１５，１６が開いた状態でのシャッター１２の開閉を可能とすることができることから、製造コストの増大を招くことなくシャッター１２に形成された各通風孔１２ａを経て外気を開口部から室内に取り入れることができ且つ防犯することができる。
【００３３】
また、前記したように、各扉１５，１６がそれぞれ住宅の壁１０に平行になるように回動した全開位置でシャッター１２の開閉が可能となることから、シャッター１２を閉めた状態では、各扉１５，１６が壁１０から大きく突出することはないので、スペース上の問題を招くことを確実に防止することができ、また、開いた各扉１５，１６によって例えば通行が妨げられることを確実に防止することができる。また、シャッター１２を閉めた状態では、シャッター１２が住宅の壁１０に近接して配置されることから、見栄えの悪化を招くことを確実に防止することができる。
【００３４】
本実施例では、各ガイドレール１９，２０が、それぞれ各扉１５，１６の一方の側縁部１５ａ，１６ａに設けられた例を示したが、これに代えて、例えばシャッター１２の幅寸法に応じて各扉１５，１６への各ガイドレール１９，２０の取付位置を適宜変更することができる。
【００３５】
また、本実施例では、各ガイドレール１９，２０が、各扉１５，１６が閉鎖位置から１８０°回動した回動位置でシャッター１２の開閉を案内するように各扉１５，１６に設けられた例を示したが、これに代えて、図４に示すように、各扉１５，１６が閉鎖位置から９０°回動した回動位置でシャッター１２の開閉を案内するように各ガイドレール１９，２０を各扉１５，１６に設けることができる。
【００３６】
この場合、各ガイドレール１９，２０は、その各案内溝１９ａ，２０ａが各扉１５，１６の閉鎖位置で住宅の内方へ向けて開放するようにすなわち各案内溝１９ａ，２０ａの深さ方向が各扉１５，１６の板厚方向に一致するように、各扉１５，１６の前記一方の側縁部１５ａ，１６ａに固定されている。これにより、各ガイドレール１９，２０の各案内溝１９ａ，２０ａは、各扉１５，１６がそれぞれ閉鎖位置から９０°回動した回動位置で互いに向き合う。
【００３７】
図４に示す例によれば、各扉１５，１６が壁１０から突出していることから、例えば暴風雨の発生時に、住宅にその横方向からたたきつけるように降る雨が通風孔１２ａを経て窓１１から室内に侵入することを抑制するための衝立としての機能を各扉１５，１６に担わせることができる。
【００３８】
図４に示す例では、各扉１５，１６が閉鎖位置から９０°回動した回動位置でシャッター１２の開閉ができるように各ガイドレール１９，２０を各扉１５，１６に設けた例を示したが、これに代えて、各扉１５，１６の所望の回動位置でシャッター１２を開閉することができるように各ガイドレール１９，２０を各扉１５，１６に設けることができる。
【００３９】
更に、本実施例では、窓１１に、該窓を開閉するための両開き式の一対の扉１５，１６が設けられた例を示したが、これに代えて、図５に示すように、窓１１に、該窓を開閉するための片開き式の扉２１を設けることができる。
【００４０】
この場合、扉２１は、その一方の側縁部２１ａで、窓１１の左右方向で互いに対向する一対の縁部１１ａ，１１ｂのうち一方の縁部１１ａに軸部材１８を介して屋外（図５で見て壁１０の下側である。）へ向けて回動可能となるように枢着されている。扉２１の閉鎖位置で屋内側に位置する内面２１ｂにおける前記一方の側縁部２１ａ及び窓１１の他方の縁部１１ｂには、それぞれ前記した複数の通風孔１２ａが形成されたシャッター１２の開閉を案内する前記したと同様の一対のガイドレール１９，２０が設けられている。
【００４１】
窓１１の前記他方の縁部１１ｂに設けられたガイドレール１９は、その案内溝１９ａが窓１１の内方へ向けて開放するように配置されている。他方、扉２１の前記一方の側縁部２１ａに設けられたガイドレール２０は、その案内溝２０ａが扉２１の前記した閉鎖位置で窓１１の前記一方の縁部１１ａへ向けて開放するように、扉２１の前記一方の側縁部２１ａに固定されている。これにより、扉２１に設けられたガイドレール２０の案内溝２０ａは、扉２１の前記した全開位置で、窓１１の前記他方の縁部１１ｂに設けられたガイドレール１９の案内溝１９ａに対向する。窓１１の前記他方の縁部１１ｂにガイドレール１９を取り付ける際、該ガイドレールが扉２１に設けられたガイドレール２０に扉２１の全開状態で対向するように壁１０からのガイドレール１９の突出位置を調節するために、窓１１の前記他方の縁部１１ｂにガイドレール１９を扉２１の板厚寸法に応じたスペーサーを介して取り付けることができる。
【００４２】
図５に示す例によれば、住宅の窓１１に設けられた片開き式の扉２１と、窓１１の前記他方の縁部１１ｂとに、扉２１を開いた状態で、複数の通風孔１２ａが形成されたシャッター１２の開閉を案内するためのガイドレール１９，２０がそれぞれ設けられていることから、各ガイドレール１９，２０は、扉２１が開いた状態で該扉及び窓１１の前記他方の縁部１１ｂ間に配置される。これにより、扉２１を開いたときに該扉が各ガイドレール間を横切ることはないので、扉２１を開いた状態でシャッター１２を閉める際、該シャッターが扉２１に干渉することが防止される。従って、扉２１を開けた状態でシャッター１２を確実に閉めることができる。
【００４３】
また、扉２１の開閉を許すように該扉から建物の外方へ離れた位置に各ガイドレール１９，２０を設ける場合のような複雑な構造を用いることなく簡単な構造で、扉２１が開いた状態でのシャッター１２の開閉を可能とすることができるので、製造コストの増大を確実に抑制することができる。
【００４４】
更に、扉２１が全開位置におかれた状態では、該扉が住宅の壁１０から大きく突出することはないので、スペース上の問題を招くことを確実に防止することができ、また、開いた扉２１によって例えば通行が妨げられることを確実に抑制することができる。また、シャッター１２を閉めた状態では、シャッター１２が住宅の壁１０に近接して配置されることから、見栄えの悪化を招くことを確実に防止することができる。
【００４５】
図５に示した例では、ガイドレール１９，２０が、扉２１が閉鎖位置から１８０°回動した回動位置でシャッター１２の開閉を案内するように扉２１に設けられた例を示したが、これに代えて、扉２１が閉鎖位置から９０°回動した回動位置でシャッター１２の開閉を案内するようにガイドレール１９，２０を扉１５，１６に設けることができる。
【００４６】
また、図１乃至図５に示した例では、シャッター１２に設けられた通風手段が、複数の通風孔１２ａで構成された例を示したが、これに代えて、シャッター１２を閉めた状態で窓１１から外気を取り入れることができる手段であれば、通風孔１２ａ以外の手段を用いることができる。
【００４７】
更に、図１乃至図５に示した例では、住宅の窓１１に本発明を適用した例を示したが、これに代えて、例えば住宅の玄関、住宅以外の建物の窓１１及び出入口等の開口部に本発明を適用することができる。
【００４８】
また、図１乃至図５に示した例では、防犯すべく窓１１を塞ぐための防犯用戸にシャッター１２を用いた例を示したが、これに代えて、例えば雨戸のようなシャッター１２以外の防犯用戸を用いることができる。
【図面の簡単な説明】
【００４９】
【図１】本発明に係る開口部の開閉構造を概略的に示す斜視図である。
【図２】各扉が閉鎖位置におかれた状態と各扉の全開位置でシャッターを閉めた状態とを概略的に示す横断面図である。
【図３】シャッターを閉めた状態を概略的に示す斜視図である。
【図４】本発明に別の実施例を概略的に示す縦断面図である。
【図５】本発明の別の実施例を概略的に示す縦断面図である。
【符号の説明】
【００５０】
１０  壁
１１  開口部（窓）
１１ａ，１１ｂ  縁部（窓の縁部）
１８  軸部材
１５，１６，２１  扉
１２ａ  通風手段（通風孔）
１２  防犯用戸（シャッター）
１９，２０  ガイドレール
１４  開口部の開閉構造
１９ａ，２０ａ  案内溝
１５ｂ，１６ｂ，２１ｂ  面（扉の内面）
【図１】
2006307597.tif 000003
【図２】
2006307597.tif 000004
【図３】
2006307597.tif 000005
【図４】
2006307597.tif 000006
【図５】
2006307597.tif 000007